(57)【要約】【課題】パッド表面にトリムカバーを取り付け固定するためのトリムカバー固定装置において、パッドに対してトリムカバーを取り付ける際の作業性の向上を図れるような構成を得る。【解決手段】トリムカバーＣを把持しつつパッドＰの表面上に配置するトリムカバーセッティング機構２と、該トリムカバーセッティング機構のトリムカバーＣの把持状態（第１状態、第２状態）に応じて、線状部材Ｒを用いて、上記トリムカバーＣの裏面に設けられた取付部Ｔ１，Ｔ２を上記パッドＰに取り付けるトリムカバー接続機構３と、を備えた構成とする。【選択図】図１
2010063625.tif 000002
【特許請求の範囲】
【請求項１】
パッド表面にトリムカバーを取り付け固定するためのトリムカバー固定装置であって、
上記パッドが載置される定盤上に該パッドを貫通するように設けられて、該パッドの定盤上での位置決めを行うパッド位置決め手段と、
上記トリムカバーを把持しつつ上記パッド表面上の所定位置に配置する把持手段と、
上記トリムカバーの裏面の中央部分に設けられた中央取付部及びその幅方向外方の両側に設けられた側方取付部を、それぞれ、係止部材を用いて上記パッドに取り付けるように構成された取付手段と、を備え、
上記把持手段は、上記中央取付部が上記パッド上の中央取付位置に位置付けられるように該トリムカバーを中央部分で屈曲させる第１状態と、上記側方取付部が上記パッド上の側方取付位置に位置付けられるように上記トリムカバーの両端部を折り返した状態で、該トリムカバーを上記パッド表面の中央部分に配置する第２状態とに切り換え可能に構成されていて、
上記取付手段は、上記把持手段が第１状態のときに、上記中央取付部を上記パッドに取り付ける第１取付手段と、上記把持手段が第２状態のときに、上記側方取付部を上記パッドに取り付ける第２取付手段とを備えていることを特徴とするトリムカバー固定装置。
【請求項２】
請求項１において、
上記把持手段は、上記トリムカバーを、上記側方取付部が露出するように該トリムカバーの両端部を折り返した状態で把持するように構成されていることを特徴とするトリムカバー固定装置。
【請求項３】
請求項１または２において、
上記第１取付手段は、上記パッド位置決め手段の少なくとも一部によって構成される第１工具と、該第１工具に対向して配置され、該第１工具との間で上記係止部材を挟み込んで、上記中央取付部とパッドとを接続するように構成された第２工具と、を有していることを特徴とするトリムカバー固定装置。
【請求項４】
請求項３において、
上記第２工具は、上下方向に移動可能に構成されていて、
上記第１工具は、
先端に上記係止部材を保持するための保持部を有する芯部材と、その外方に位置し、該芯部に対して移動可能に構成された外筒とを備えていて、
上記第２工具が下方へ移動すると該第２工具に上記外筒のみが当接して該外筒が第２工具とともに下方へ移動し、上記芯部材が、上記保持部に保持された上記係止部材を上記第２工具との間で変形させることにより上記中央取付部とパッドとを接続するように構成されていることを特徴とするトリムカバー固定装置。
【請求項５】
上記請求項１から４のいずれか一つに記載のトリムカバー固定装置を用いて、パッド表面にトリムカバーを取り付けることによりシートを製造する方法であって、
上記トリムカバー固定装置の定盤上に、上記パッド位置決め手段によって上記パッドを位置決めして配置するパッド配置工程と、
上記トリムカバーを上記パッド上の所定位置に配置するトリムカバー配置工程と、
上記把持手段によって、上記トリムカバー裏面の中央部分に設けられた中央取付部が上記パッド上の中央取付位置に位置付けられるように該トリムカバーを中央部分で屈曲させつつ、上記第１取付手段によって、係止部材を用いて上記中央取付部と上記パッドとを接続する中央部取付工程と、
上記把持手段によって、上記トリムカバーの幅方向外方の両側に設けられた側方取付部が上記パッド上の側方取付位置に位置付けられるように該トリムカバーの両端部を折り返した状態で、該トリムカバーを上記パッド表面の中央部分に配置しつつ、上記第２取付手段によって、係止部材を用いて上記側方取付部と上記パッドとを接続する両端部取付工程と、を備えていることを特徴とするシート製造方法。
【請求項６】
上記請求項１から４のいずれか一つに記載のトリムカバー固定装置によって、パッド表面にトリムカバーが取り付けられてなることを特徴とするシート。
【発明の詳細な説明】
【技術分野】
【０００１】
本発明は、シートのパッド表面にトリムカバーを取り付けるトリムカバー固定装置に関する。
【背景技術】
【０００２】
従来より、車両用シートのパッド表面には、該パッド表面を覆うようにトリムカバーが取り付けられている。このトリムカバーは、その裏面でパッドと接続されるため、例えば特許文献１、２に開示されるように、該パッドに設けられた取付ワイヤに対して係止部材を介して取り付けられる。
【０００３】
具体的には、上記トリムカバーの裏面に複数箇所、設けられた取付部と、上記パッドの取付ワイヤとを、リング状の係止部材によって接続することにより、上記トリムカバーとパッドとが接続される。このように、上記係止部材をトリムカバーの取付部及びパッドの取付ワイヤに取り付ける際には、例えば上記特許文献１の従来技術に開示されているように、一般的には、作業者がホグリングガンを用いて、上記トリムカバーの取付部と上記パッドの取付ワイヤとを略Ｃ形状の係止部材（ホグリング）によって接続するようにしている。
【特許文献１】実公平４−６６４０号公報
【特許文献２】特開２００１−３８０７４号公報
【発明の開示】
【発明が解決しようとする課題】
【０００４】
ところで、上述のように、ホグリングガンを用いて、係止部材によってトリムカバーの裏面の取付部とパッドの取付ワイヤとを接続する場合、作業者は比較的重いホグリングガンを手に持って作業を行わなければならない。
【０００５】
また、上記取付ワイヤは、パッド表面から突出しないように、通常、該パッドに形成された溝の底部などに配設されているため、この取付ワイヤに対してトリムカバーの取付部を、係止部材によって係止しようとすると、上記ホグリングガンの先端によって上記パッドを押しのけつつ、該ガンの挟持部で取付ワイヤ及び取付部を挟み込んで係止部材を取り付ける必要がある。したがって、上記ホグリングガンの挟持部によって取付ワイヤ及び取付部を確実に挟み込めるように、作業者は、上記ホグリングガンの先端を、上記パッドの溝内の取付ワイヤに対して斜め方向から挿入し、発泡ウレタン等からなる上記パッドをホグリングガンによって押さえ続けながら作業を行う必要がある。
【０００６】
したがって、上述のように、上記ホグリングガンによってパッドの取付ワイヤとトリムカバーの取付部とを接続する作業は、作業性が大変悪く、作業者にとって負担の大きい作業であった。
【０００７】
本発明はかかる点に鑑みてなされたものであり、その目的とするところは、パッド表面にトリムカバーを取り付け固定するためのトリムカバー固定装置において、パッドに対してトリムカバーを取り付ける際の作業性の向上を図れるような構成を得ることにある。
【課題を解決するための手段】
【０００８】
上記目的を達成するために、本発明に係るトリムカバー固定装置では、パッドの位置決めや、該パッド上へのトリムカバーの配置、該パッドとトリムカバーとの接続を、作業者の手作業ではなく、装置の各手段によって行えるようにした。
【０００９】
具体的には、第１の発明では、パッド表面にトリムカバーを取り付け固定するためのトリムカバー固定装置を対象とする。そして、上記パッドが載置される定盤上に該パッドを貫通するように設けられて、該パッドの定盤上での位置決めを行うパッド位置決め手段と、上記トリムカバーを把持しつつ上記パッド表面上の所定位置に配置する把持手段と、上記トリムカバーの裏面の中央部分に設けられた中央取付部及びその幅方向外方の両側に設けられた側方取付部を、それぞれ、係止部材を用いて上記パッドに取り付けるように構成された取付手段と、を備えているものとする。
【００１０】
さらに、上記把持手段は、上記中央取付部が上記パッド上の中央取付位置に位置付けられるように該トリムカバーを中央部分で屈曲させる第１状態と、上記側方取付部が上記パッド上の側方取付位置に位置付けられるように上記トリムカバーの両端部を折り返した状態で、該トリムカバーを上記パッド表面の中央部分に配置する第２状態とに切り換え可能に構成されていて、上記取付手段は、上記把持手段が第１状態のときに、上記中央取付部を上記パッドに取り付ける第１取付手段と、上記把持手段が第２状態のときに、上記側方取付部を上記パッドに取り付ける第２取付手段とを備えているものとする。
【００１１】
以上の構成により、パッドは、パッド位置決め手段によって定盤上に位置決めされるとともに、該パッド上に、把持手段によって把持されたトリムカバーを配置することができる。そして、この把持手段が、上記トリムカバー裏面の中央部分の中央取付部を上記パッド上の中央取付位置に位置付けるように該トリムカバーを把持する第１状態、及び、トリムカバーの幅方向外方の側方取付部を上記パッド上の側方取付位置に位置付けるように、トリムカバーの両端部を裏返した状態で該トリムカバーをパッド表面上に配置する第２状態、の場合に、それぞれ、第１取付手段及び第２取付手段によって、上記トリムカバーの裏面の中央取付部及び側方取付部を係止部材を介してパッドに取り付けることができるため、作業者の手作業ではなく、装置を用いて自動的にパッドとトリムカバーとを接続することが可能となる。すなわち、従来は、作業者が手作業で行っていたトリムカバーとパッドとの接続作業を、上述のような構成を有する装置の一連の動作によって行うことができるため、作業者の負担軽減や作業性の向上を図れる。
【００１２】
特に、上記把持手段によって、上記パッドに対するトリムカバーの２つの配置状態を実現することにより、該トリムカバーの中央部分及びその幅方向外方でパッドに対して接続することができ、該トリムカバーとパッドとを複数箇所で確実に且つ強固に接続することができる。
【００１３】
上述の構成において、上記把持手段は、上記トリムカバーを、上記側方取付部が露出するように該トリムカバーの両端部を折り返した状態で把持するように構成されているものとする（第２の発明）。
【００１４】
このように、上記把持手段にトリムカバーを把持させる際に、該トリムカバーを、裏面の幅方向外方側に設けられた側方取付部が露出するように該トリムカバーの両端部を折り返した状態で把持することにより、上記把持手段を、上述のようにトリムカバーを把持した状態でパッド上に配置するように動作させることで、容易に上記第２状態を実現することができる。すなわち、上述の構成によれば、上記把持手段の第１状態及び第２状態を簡単な構成によって実現できるため、トリムカバー固定装置の構成の簡略化を図れる。
【００１５】
また、上記第１取付手段は、上記パッド位置決め手段の少なくとも一部によって構成される第１工具と、該第１工具に対向して配置され、該第１工具との間で上記係止部材を挟み込んで、上記中央取付部とパッドとを接続するように構成された第２工具と、を有しているのが好ましい（第３の発明）。
【００１６】
これにより、トリムカバーの裏面の中央部分に設けられた中央取付部とパッドとを接続する場合、パッドを貫通する第１工具と該第１工具に対向して配置された第２工具との間に挟み込まれる係止部材によって、上記中央取付部とパッドとが接続されるため、簡単な構成により、作業を行いにくい上記トリムカバーの裏面の中央部分に位置する中央取付部をパッドに容易に接続することができる。
【００１７】
しかも、上記第１工具は、パッド位置決め手段の少なくとも一部によって構成されているため、パッドの位置決めと該パッドへのトリムカバーへの取り付けとを兼用させることができ、構成部品の簡略化による装置の小型化及び部品数削減を図れる。
【００１８】
また、上記第２工具は、上下方向に移動可能に構成されていて、上記第１工具は、先端に上記係止部材を保持するための保持部を有する芯部材と、その外方に位置し、該芯部に対して移動可能に構成された外筒とを備えていて、上記第２工具が下方へ移動すると該第２工具に上記外筒のみが当接して該外筒が第２工具とともに下方へ移動し、上記芯部材が、上記保持部に保持された上記係止部材を上記第２工具との間で変形させることにより上記中央取付部とパッドとを接続するように構成されているのが好ましい（第４の発明）。
【００１９】
この構成により、第２工具が下方向へ移動して第１工具の外筒に当接すると、該外筒のみが第２工具とともに下方へ移動するため、該第２工具と第１工具の芯部材とが相対的に近くなり、該芯部材の先端の保持部に保持された係止部材は、上記第２工具及び該保持部によって変形するため、該係止部材をトリムカバーの取付部及びパッドに対して締め付けた状態で取り付けることができる。すなわち、上述のような構成にすることで、トリムカバーの取付部とパッドとを係止部材によって確実且つ強固に接続することができる。
【００２０】
第５の発明は、上記第１から第４のいずれか一つのトリムカバー固定装置を用いて、パッド表面にトリムカバーを取り付けることによりシートを製造する方法を対象とする。
【００２１】
そして、上記トリムカバー固定装置の定盤上に、上記パッド位置決め手段によって上記パッドを位置決めして配置するパッド配置工程と、上記トリムカバーを上記パッド上の所定位置に配置するトリムカバー配置工程と、上記把持手段によって、上記トリムカバー裏面の中央部分に設けられた中央取付部が上記パッド上の中央取付位置に位置付けられるように該トリムカバーを中央部分で屈曲させつつ、上記第１取付手段によって、係止部材を用いて上記中央取付部と上記パッドとを接続する中央部取付工程と、上記把持手段によって、上記トリムカバーの幅方向外方の両側に設けられた側方取付部が上記パッド上の側方取付位置に位置付けられるように該トリムカバーの両端部を折り返した状態で、該トリムカバーを上記パッド表面の中央部分に配置しつつ、上記第２取付手段によって、係止部材を用いて上記側方取付部と上記パッドとを接続する両端部取付工程と、を備えているものとする。
【００２２】
以上の方法により、パッド位置決め手段によってパッドをトリムカバー固定装置の定盤上に位置決めした後、該パッド上にトリムカバーを配置して、該トリムカバーの裏面の中央部分に設けられた中央取付部及びその幅方向外方の両側に設けられた側方取付部を、パッドにそれぞれ接続することができ、上記トリムカバー固定装置の各手段による一連の動作の中で、上記トリムカバーをパッド表面に取り付け固定することができる。
【００２３】
したがって、上述のような製造方法によって、パッドに対するトリムカバーの取付作業の作業性の向上を図れるとともに、作業者の作業負担も大幅に軽減される。
【００２４】
第６の発明は、シートを対象とする。具体的には、上記第１から第４のいずれか一つのトリムカバー固定装置によって、パッド表面にトリムカバーが取り付けられてなるものとする。
【００２５】
上記第１から第４の発明のいずれか一つのトリムカバー固定装置を用いることにより、シートの生産性の向上を図れるため、完成品であるシートの製造コストの低減を図れる。
【発明の効果】
【００２６】
以上説明したように、本発明のトリムカバー固定装置によれば、パッドは、該パッドを貫通するパッド位置決め手段によって定盤上に位置決めされるとともに、把持手段がトリムカバーの裏面の中央取付部を上記パッド上の中央取付位置に位置付けるように把持する第１状態で、第１取付手段によって該中央取付部をパッドに取り付け、上記トリムカバーの裏面の側方取付部を上記パッド上の側方取付位置に位置付けるように把持する上記把持手段の第２状態で、第２取付手段によって該側方取付部をパッドに取り付けるようにしたため、作業者に代わって装置によって、自動的にトリムカバーをパッド表面に取り付け固定することができ、作業性の向上及び作業者の負担軽減を図れる。
【００２７】
また、第２の発明によれば、上記把持手段は、上記トリムカバーを、側方取付部が露出するように両端部を折り返した状態で把持するように構成されているため、簡単な構成で、上記第２状態を容易に実現することができる。したがって、装置の簡略化を図れる。
【００２８】
また、第３の発明によれば、上記第１取付手段は、上記パッド位置決め手段の少なくとも一部によって構成される第１工具と、該第１工具との間で係止部材を挟み込んで上記中央取付部とパッドとを接続する第２工具と、を有しているため、簡単な構成によって中央取付部とパッドとを接続できるとともに、パッド位置決め手段の少なくとも一部によって第１工具を構成することで、装置の小型化及び部品数削減を図れる。
【００２９】
また、第４の発明によれば、上記第１工具の外筒のみが該第２工具とともに下方へ移動し、該第１工具の芯部材が、その先端の保持部に保持された係止部材を上記第２工具との間で変形させることにより上記中央取付部とパッドとを接続するため、該中央取付部とパッドとを係止部材によって確実且つ強固に接続することができる。
【００３０】
第５の発明によれば、上記第１から第４の発明のいずれか一つのトリムカバー固定装置を用いてシートを製造する方法において、パッド位置決め手段によって装置の定盤上にパッドを位置決めして、トリムカバーの裏面の中央取付部及び側方取付部をそれぞれパッドに取り付けるようにしたため、作業者に代わって上記トリムカバー固定装置によってトリムカバーをパッドに効率良く取り付け固定することができる。
【００３１】
第６の発明によれば、上記第１から第４の発明のいずれか一つのトリムカバー固定装置によってパッド表面にトリムカバーが取り付けられることにより、シートが構成されるため、該シートの製造コストの低減を図れる。
【発明を実施するための最良の形態】
【００３２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３３】
図１に本発明の実施形態に係るトリムカバー固定装置１の概略構成を示す。このトリムカバー固定装置１は、車両のシートの座面部を構成する発泡ウレタン製のパッドＰに対して、布製のトリムカバーＣを所定の位置に配置して接続固定するためのものである。そのため、上記トリムカバー固定装置１は、トリムカバーＣを把持しつつパッドＰに対して所定の位置に配置するトリムカバーセッティング機構２（把持手段）と、上記パッドＰ上にトリムカバーＣが配置された状態で、該トリムカバーＣをパッドＰに接続するトリムカバー接続機構３（取付手段）とを備えている。また、上記トリムカバー固定装置１は、上述の各機構２，３が配置されるフレーム４を備えている。
【００３４】
なお、この実施形態では、車両用シートの座面部のパッドＰに対してトリムカバーＣを取り付ける場合に上記トリムカバー固定装置１を用いるようにしているが、この限りではなく、シートの背もたれ部分など他の部分のパッドにトリムカバーを取り付ける際に、上記トリムカバー固定装置１を用いてもよい。
【００３５】
上記フレーム４は、上面視で長方形の四隅の位置に立設された４本の柱部５，５，…と、装置正面側（図１の紙面側、以下、装置前側ともいう）を除いて上記柱部５，５，…の上部同士を上面視で略コの字状に接続する梁部６，６，…と、を備えている。また、これらの柱部５，５，…及び梁部６，６，…からなるフレーム４内には、板状のベース７，８，９が複数、配置されている。
【００３６】
上記ベース７，８，９は、上記フレーム４の柱部５，５，…に対して、上下方向に所定の間隔を空けて設けられている。これらのベース７，８，９のうち、最下段に位置する最下段ベース９は、上記柱部５，５，…に対して接続されている。また、最上段に位置する最上段ベース７と上記最下段ベース９との間には、４本の柱状スライド部１０，１０，…が立設されていて、該柱状スライド部１０，１０，…に対して、移動可能なように中段ベース８が配設されている。そして、この中段ベース８を上下動させるように、該中段ベース８と上記最下段ベース９との間には、空気圧によって伸縮する昇降シリンダ１１が設けられている。なお、上記図１において、符号１２は、上記中段ベース８が下方へ落下しないように、該中段ベース８を下方から支持する支持シリンダである。
【００３７】
このような構成により、上記最上段ベース７と最下段ベース９との間隔は一定に保たれる一方、該最上段ベース７に対する中段ベース８の高さ位置を変更することができる。
【００３８】
上記中段ベース８上には、図４にも示すように、後述するトリムカバー接続機構３の中央部接続機構３０における下側工具５１が配設されている。この下側工具５１は、上記中段ベース８の中央部分に固定された取付座５２に取り付けられていて、先端側が上記最上段ベース７に設けられた貫通穴（図示省略）を挿通して、該最上段ベース７よりも上方に位置するように配置されている。また、上記図４に示すように、上記中段ベース８上には、上記下側工具５１を囲むように４本の位置決めピン４２が立設されていて、該位置決めピン４２も上記最上段ベースに設けられた貫通穴（図示省略）を挿通して、該最上段ベース７よりも上方に突出している。これらの下側工具５１及び位置決めピン４２は、上記最上段ベース７上に配置されるパッドＰの下面に予め形成された貫通穴Ｐ２及び穴部（図示省略）内に挿入される。これにより、上記最上段ベース７上でパッドＰが位置決めされるようになっている。なお、上記図４において、符号８ａは、最上段ベース７と最下段ベース９との間に配設された柱状スライド部１０が挿通するための挿通孔を示しており、符号５２は上記下側工具５１の取付座を示している。
【００３９】
上述のように、上記下側工具５１を上下動可能な中段ベース８上に配置することで、後述の中央部接続機構３０の上側工具４１が取り付け作業を行う所定の位置まで移動する際に、上記中段ベース８を下方へ移動させて下側工具５１を下方へ逃がすことにより、上記上側工具４１と該下側工具５１とが緩衝するのを確実に防止することができる。
【００４０】
上記最上段ベース７は、トリムカバー固定装置１の定盤を構成していて、その上面上にパッドＰを配置可能に構成されている。また、上記最上段ベース７上には、後述するトリムカバーセッティング機構２やトリムカバー接続機構３の中央接続機構３０などが配置されている。
【００４１】
上記トリムカバーセッティング機構２は、図２や図８等にも示すように、布製のトリムカバーＣの四隅を把持する４つの把持部２１，２１，…と、これらの把持部２１，２１，…のうち上記トリムカバーＣの一方の端部の両隅を把持する２つの把持部２１，２１が取り付けられていて、該トリムカバーＣを折りたたみ状態から広げられるように回動可能に構成された回動機構２５と、を備えている。なお、上記把持部２１，２１，…のうち残りの２つの把持部２１，２１は、後述する支持フレーム２６の装置後方側に取り付けられていて、上記トリムカバーＣの他方の端部の両隅を把持するように構成されている。
【００４２】
上記各把持部２１は、空気圧によって動作するシリンダ２２を有していて、該シリンダ２２内の空気圧の変化によって、該シリンダ２２から側面視で略クランク状に延びる２本のアーム部２３，２４の間隔を変えられるように構成されている。すなわち、上記各把持部２１は、シリンダ２２の空気圧を高くすることによって、上記アーム部２３，２４の間隔を狭くすることができ、これにより、該アーム部２３，２４間に上記トリムカバーＣを挟持できる一方、上記シリンダ２２の空気圧を低下させることで、上記アーム部２３，２４の間隔を拡げることができ、これにより、該アーム部２３，２４によるトリムカバーＣの挟持状態を解除することができる。
【００４３】
上記回動機構２５は、装置前方側が開口する上面視で略コの字状に形成された支持フレーム２６に対し、下端側が回動可能に接続された略門形状の回動フレーム２７と、ピストン２８ａの伸縮によって上記回動フレーム２７を回動させるように、該回動フレーム２７にピストン２８ａの先端側が接続された回動用シリンダ２８と、を備えている。具体的には、上記支持フレーム２６の装置前後方向の中央部分には、下方に膨出する膨出部２６ａが設けられていて、該膨出部２６ａに、上記門形の回動フレーム２７の下端部から装置前方（図２の実線の状態）に延びる取付フランジ部２７ａが回動可能に取り付けられている。また、上記回動フレーム２７の長手方向の中央部分よりも上記取付フランジ部２７ａ側には、上記シリンダ２８のピストン２８ａの先端部分が回動可能に接続されるシリンダ取付部２７ａが設けられている。これにより、上記回動フレーム２７は、上記シリンダ２８のピストン２８ａの伸縮によって、該回動フレーム２７の下端部の取付フランジ部２７ａを中心として、装置１の前後方向に回動する。
【００４４】
ここで、上記支持フレーム２６は、最上段ベース７上に幅方向に並んで配置され且つ上下動可能に設けられたサイドフレーム２９，２９に取り付け固定されている。これにより、上記サイドフレーム２９，２９とともに、上記回動機構２５の支持フレーム２６及び回動フレーム２７が上下動する。
【００４５】
また、上記支持フレーム２６には、図８及び図１１に示すように、上記トリムカバーＣをトリムカバーセッティング機構２にセッティングしたときに該トリムカバーＣの幅方向両端部を折り返した状態で上方から押さえるように、装置後方側に、装置前方に向かって延びる２本の押さえ部２６ａ，２６ａが設けられている。一方、上記サイドフレーム２９，２９には、図１に示すように最上段ベース７上にパッドＰを配置したときに、該パッドＰの幅方向両端部を上方から押さえるためのパッド押さえ部２９ａ，２９ａが一体に設けられている。
【００４６】
上記トリムカバー接続機構３は、図１に示すように、パッドＰの中央部分（中央取付位置）をトリムカバーＣと接続する中央部接続機構３０と、該パッドＰの側方部分（側方取付位置）をトリムカバーＣと接続する側方部接続機構６０とからなる。いずれの接続機構３０，６０も、上記パッドＰに設けられたワイヤＷとトリムカバーＣに設けられた取付部Ｔ１，Ｔ２とを、リング状に成形される線状部材Ｒ（係止部材）によってかしめ固定するように構成されている。
【００４７】
ここで、上記パッドＰのワイヤＷは、金属製の線状の部材からなり、図１０に示すように、該パッドＰの上面の中央部やその幅方向外方側に形成された溝部Ｐ１内の底面近傍に、該溝部Ｐ１の長手方向に延びるように設けられている。また、上記トリムカバーＣの取付部Ｔ１，Ｔ２は、図８及び図９等に示すように、略長方形状の布部材からなり、長辺側の一方が該トリムカバーＣの裏面の中央部やその幅方向外方側に接続されている。さらに、特に図示しないが、上記取付部Ｔ１，Ｔ２は、その長辺の自由端側にトリムソリッドと呼ばれる樹脂製の枠部が形成されている。なお、上記取付部Ｔ１，Ｔ２のうち、上記トリムカバーＣの中央部（中央取付位置）に取り付けられる取付部が本発明の中央取付部Ｔ１を、その幅方向外方の両側（側方取付位置）に取り付けられる取付部が本発明の側方取付部Ｔ２，Ｔ２を構成している。
【００４８】
上記中央部接続機構３０は、上記パッドＰの上面の中央部分に設けられたワイヤＷと上記トリムカバーＣの裏面の中央部分に設けられた中央取付部Ｔ１とを、リング状に成形される線状部材Ｒによってかしめるためのものであり、該かしめを行うためのかしめ部３１を備えている。このかしめ部３１は、図３や図５等にも示すように、上記ワイヤＷ及び中央取付部Ｔ１を上方から押さえる上側工具４１（第２工具）と、該上側工具４１との間で上記線状部材Ｒをリング状に変形させるように該上側工具４１に対向配置された下側工具５１（第１工具）とを、備えている。これらの上側工具４１及び下側工具５１は、３対、設けられていて、上面視で最上段ベース７の略中央に幅方向に並ぶように配設されている。上記かしめ部３１の詳細な構成については後述する。
【００４９】
また、上記中央部接続機構３０は、上記かしめ部３１の上側工具４１を保持しつつ、該上側工具４１を装置前後方向に移動可能に構成された支持部３２を備えている。この支持部３２は、上記最上段ベース７の幅方向に亘って延びるように設けられていて、その幅方向両端部が、断面略工字状の脚部３３を介して、上記最上段ベース７上に設置されたスライドレール３４に対し、装置前後方向へ移動可能に接続されている。具体的には、上記支持部３２の幅方向両端部には、それぞれ、装置前後方向に延びる断面略工字状の脚部３３，３３が接続固定されていて、該脚部３３，３３の下端部に取り付けられたスライダ３５が、装置前後方向に延びる上記スライドレール３４上を移動するように構成されている。上記支持部３２は、上記かしめ部３１の上側工具４１を固定するための固定板３６と、該固定板３６の両端部をそれぞれ支持する支持部材３７，３７と、を備えていて、図１及び図３に示すように、上記固定板３６が支持部材３７，３７の下端よりも上方に位置する正面視で略門形状に形成されている。なお、図２に示すように、上記支持部材３７は、底板部３７ａ上の幅方向中央部分に、補強用のリブ３７ｂが立設されてなる。
【００５０】
図３に示すように、上記脚部３３の一方の側面上には、表面に歯部が形成されたラック部３３ａが設けられていて、該ラック部３３ａの歯部に噛合する複数のギア３８を介してモータ３９の回転出力が上記脚部３３に伝わるように構成されている。すなわち、上記脚部３３とモータ３９との間には、いわゆるラック・アンド・ピニオンが構成されており、これにより、上記モータ３９の回転をギア３８及びラック部３３ａを介して直線運動に変換し、上記脚部３３をスライドレール３４（最上段ベース７）に対してスライド移動させることができる。なお、上記図３に示すように、上記モータ３９は、取付部材を介して上記最上段ベース７に取り付け固定されている。
【００５１】
上記側方部接続機構６０は、従来のホグリングガンを上記トリムカバー固定装置１に搭載可能なように改造して、パッドＰの幅方向外方の両側に位置するワイヤＷとトリムカバーＣの側方取付部Ｔ２との接続を自動的に行えるようにしたものである。具体的には、図１に示すように、上記側方部接続機構６０は、フレーム４の柱部５，５間に架設された回動軸６１を中心として装置１の内方または外方へ回動可能に構成されたガン部６２，６２，…を備えている。これらのガン部６２，６２，…は、装置１の左右両側に複数、配設されていて、従来のホグリングガンと同様、パッドＰのワイヤＷとトリムカバーＣの側方取付部Ｔ２とを挟持しつつ、線状部材Ｒをリング状に成形して上記ワイヤＷ及び側方取付部Ｔ２にかしめるための挟持部６３や、該挟持部６３を駆動させるための駆動部（図示省略）などを備えている。この構成により、上記各ガン部６２が回動して、該各ガン部６２の挟持部６３をパッドＰに近づけた状態において、該挟持部６３がパッドＰのワイヤＷ及びトリムカバーＣの側方取付部Ｔ２をリング状の部材Ｒによってかしめ固定する。なお、上記ガン部６２の挟持部６３の構成は、従来のホグリングガンと同様なので、詳しい説明は省略する。
【００５２】
−かしめ部の構成−
上記中央部接続機構３０のかしめ部３１の構成について、図３及び図５から図７に基づいて以下で詳細に説明する。
【００５３】
上記かしめ部３１は、上述のとおり、上側工具４１及び下側工具５１を備えていて、両者の間で線状部材Ｒをリング状に変形させるように構成されている。具体的には、上記下側工具５１は、中段ベース８上に取付座５２を介して固定されている一方、上記上側工具４１は、支持部３２の固定板３６に固定されたベース部材４３に対して上下方向にスライド移動可能に構成されていて、該上側工具４１が上記下側工具５１に対して近づくことにより、両者間で線状部材Ｒがリング状に成形されるように構成されている。なお、上記上側工具４１は、例えば空気圧で作動するシリンダなどによって上下方向にスライド移動するように構成されている。
【００５４】
図５及び図６に示すように、上記上側工具４１は、その先端部分に、外周側部分の対向位置において平面視で円弧状に下方へ膨出した一対の外周部４１ａ，４１ａと、該先端部分の下面視で中央部分を横切るように断面半円形状の溝部４１ｂが形成された中央部４１ｃと、を備えている。上記外周部４１ａは、後述する下側工具５１の外筒部材５３の先端部分よりも大きい内径を有するように形成されていて、上記下側工具５１に近接すると、該下側工具５１の外筒部材５３の先端部分が上記外周部４１ａ内に位置付けられるようになっている。すなわち、上記外周部４１ａ，４１ａは、上記下側工具５１の外筒部材５３の外周面に沿って移動する、ガイドとしての機能を果たす。これにより、上記上側工具４１を下側工具５１の外筒部材に確実に押し当てることができる。上記中央部４１ｃは、上記外周部４１ａ内に進入した上記下側工具５１の先端部分が当接し、その状態で、該中央部４１ｃに設けられた溝部４１ｂ内にトリムカバーＣの取付部Ｔ１，Ｔ２の一部（トリムソリッド）が位置付けられるように構成されている。
【００５５】
また、上記上側工具４１の中央部４１ｃの表面には、その略中央に、上記外周部４１ａ，４１ａの方向へ延びる縦断面視で略半円状の半円溝４１ｄ，４１ｄが２つ、並んで形成されている。すなわち、この半円溝４１ｄ，４１ｄは、上記中央部４１ｃの溝部４１ｂを横切るように形成されている。上記半円溝４１ｄ，４１ｄは、パッドＰのワイヤＷとトリムカバーＣの中央取付部Ｔ１とを接続する線状部材Ｒが、該半円溝４１ｄ内を移動すると徐々にリング状に成形されるように、それぞれの溝４１ｄ，４１ｄにＵ字状の線状部材Ｒの各端部が進入可能な形状となっている。
【００５６】
上記下側工具５１は、上記上側工具４１に先端部で接触する外筒部材５３（外筒）と、該外筒部材５３内に配置される芯部材５４と、該芯部材５４の下端部を固定するとともに、上記外筒部材５３の下端部を弾性支持する下側支持部材５５と、を備えている。上記外筒部材５３は、その筒軸方向の途中で外径が徐々に大きくなって、基端部分の外径が先端部分よりも大きくなるように形成されている。また、上記外筒部材５３の先端部分には、上記上側工具４１の中央部４１ｃの溝部４１ｂと同じ方向に延びる溝部５３ａが形成されている。そして、この溝部５３ａの底部の幅方向中央には、該溝部５３ａよりも幅の狭いスリット部５３ｂが形成されている。このスリット部５３ｂは、後述するように、パッドＰのワイヤＷとトリムカバーＣの中央取付部Ｔ１とを線状部材Ｒによって接続する際に、上記ワイヤＷを収容するための空間を構成しており、これにより、上記外筒部材５３とワイヤＷとが干渉するのを確実に防止することができる。さらに、上記外筒部材５３には、断面中央部分に、断面略円形の対向位置に一対のキー溝を有する貫通穴５３ｃが形成されている。また、この貫通穴５３ｃは、平面視で、対向位置に設けられたキー溝が上記溝部５３ａの直交方向に延びるように形成されている。
【００５７】
上記外筒部材５３は、その基端部分が有底円筒状の上記下側支持部材５５の内部に位置付けられるように配置されている。すなわち、上記外筒部材５３には、その基端側の外周面上に、上記下側支持部材５５の内面と摺動する摺動リング５６が取り付けられていて、該摺動リング５６が上記下側支持部材５５内に配置されたバネ部材５７によって、該下側支持部材５５から外方へ突出しない程度に弾性支持されている。
【００５８】
これにより、上記外筒部材５３は、上記上側工具４１の中央部４１ｃと当接して、該上側工具４１によって下方に押されると、図７に示すように、上記バネ部材５７が弾性変形を生じて、上記下側支持部材５５内に潜り込むように下方に変位する。なお、上記外筒部材５３の摺動リング５６よりも基端側には、後述する固定部材５８の円筒部内に収容可能な外径を有する小径部５３ｄが設けられており、該外筒部材５３の基端側と固定部材５８との干渉を防止して、コンパクトな構成でも該外筒部材５３の下方への変位量ができるだけ大きくなるように構成されている。
【００５９】
上記芯部材５４は、上記外筒部材５３に形成された上記貫通穴５３ｃ内に収容可能なように構成されている。具体的には、上記芯部材５４は、断面略円形状の中央芯部５４ａと、該中央芯部５４ａの対向した位置で上記芯部材５４の全長に亘って外方へ突出する一対の突条部５４ｂ、５４ｂとを備えている。また、上記芯部材５４の先端部分には、正面視で、上記突条部５４ｂ，５４ｂが中央芯部５４ａに向かって傾斜するように斜めに形成された保持部５４ｃが設けられている。このように、上記芯部材５４の先端部分に、正面視で略半円状の凹部からなる保持部５４ｃを形成することで、後述するように略Ｕ字状の線状部材Ｒを下方から確実に支持することができるとともに、該線状部材Ｒを容易にリング状に成形することができる。
【００６０】
上記芯部材５４の基端側は、固定部材５８に取り付け固定されている。具体的には、この固定部材５８は、円筒部５８ａと、その下端側に一体に設けられた円盤状のフランジ部５８ｂと、該フランジ部５８ｂの円筒部５８ａとは反対側に一体に設けられたネジ部５８ｃと、を備えている。特に図示しないが、このネジ部５８ｃには、その内部に貫通穴が形成されており、該貫通穴に対応して、上記芯部材５４の基端側にはねじ穴が形成されている。そして、上記円筒部５８ａ内に上記芯部材５４の基端側を挿入した状態で、ボルト５９を、上記ネジ部５８ｃの内部に形成された貫通穴に挿通させて上記芯部材５４の基端に形成されたねじ穴に対して締結することで、上記固定部材５８に芯部材５４を固定することができる。また、上記下側支持部材５５の下面には、上記固定部材５８のネジ部５８ｃが挿通可能な穴部（図示省略）が形成されているため、該ネジ部５８ｃを下側支持部材５５の底面に挿通させた状態で、取付座５２にも挿通させて、ナット（図示省略）により締結すればよい。これにより、上記芯部材５４は、上記下側支持部材５５及び中段ベース８に固定される。
【００６１】
以上の構成により、図７に示すように、上記上側工具４１が下方へ移動して、該上側工具４１の先端部分の中央部４１ｃが下側工具５１の外筒部材５３の先端部分に当接すると、上記上側工具４１の下方への移動とともに下側支持部材５５内のバネ部材５７が圧縮されて上記外筒部材５３のみが下方へ移動する。上述のとおり、該外筒部材５３の貫通孔５３ｃ内に配置された芯部材５４は、上記下側支持部材５５に固定されているため、上記外筒部材５３が下方へ変位すると、該芯部材５４が上記上側工具４１の先端部に相対的に近づくことになる。そうすると、上記芯部材５４と上記上側工具４１との間で、略Ｕ字状の線状部材Ｒの両端部が該上側工具４１の先端部分に形成された半円溝４１ｄ，４１ｄに沿うように変形し、略リング状に成形される。このとき、上記芯部材５４と上側工具４１との間で且つ上記線状部材Ｒの上方に、パッドＰのワイヤＷ及びトリムカバーＣの中央取付部Ｔ１を配置することで、リング状に成形された上記線状部材Ｒによって上記ワイヤＷ及び中央取付部Ｔ１をかしめ固定することができる。
【００６２】
−トリムカバー固定装置の動作−
以下で、上述のような構成を有するトリムカバー固定装置１が、パッドＰに対してトリムカバーＣを取り付ける場合の動作について説明する。
【００６３】
まず、上記トリムカバー固定装置１の最上段ベース７上の所定の位置にパッドＰを配置する。このときに、パッドＰは、該パッドＰの下面に形成された複数の貫通穴Ｐ２や穴部（図示省略）に、上記図４に示す位置に立設された下側工具５１，５１，５１や位置決めピン４２，４２，…が挿入されるようにセッティングすることで、該パッドＰの位置決めがなされる。ここで、上記パッドＰの貫通穴Ｐ２は、該パッドＰの溝部Ｐ１に設けられていて、該貫通穴Ｐ２を横切るワイヤＷが、該貫通穴Ｐ２に挿入される下側工具５１の外筒部材５３のスリット部５３ｂ上方に位置している。
【００６４】
次に、トリムカバーセッティング機構２における４つの把持部２１，２１，…によって、上記パッドＰに取り付けるトリムカバーＣの四隅を把持する。このとき、図８に示すように、上記トリムカバーＣが折り返されて、該トリムカバーＣの裏面の中央部分に設けられた中央取付部Ｔ１が露出するように、上記把持部２１，２１，…によってトリムカバーＣを把持する。なお、上記パッドＰの左右両端部を覆うトリムカバーＣの端部は、折り返した状態で支持フレーム２６の押さえ部２６ａ，２６ａによって上方から押さえられている。
【００６５】
上記把持部２１，２１，…によってトリムカバーＣの四隅を把持した後、回動フレーム２７及び支持フレーム２６を下降させて（白抜き矢印）、該トリムカバーＣの中央取付部Ｔ１が上記パッドＰの中央取付位置に位置付けられるように該トリムカバーＣをパッドＰ上に配置する。このとき、上記支持フレーム２６が接続されるサイドフレーム２９も下降するため、該サイドフレーム２９に設けられたパッド押さえ部２９ａによって、上記パッドＰの両端部が上方から押さえられる。なお、上記図８に示すように、トリムカバーＣがパッドＰの中央部分に位置し、且つ、該トリムカバーＣの中央取付部Ｔ１がパッドＰの中央取付位置に位置付けられるような位置が、本発明におけるパッド表面上の所定位置に対応する。
【００６６】
そして、図９に示すように、上記トリムカバーＣの中央取付部Ｔ１をパッドＰとの間に挟み込むような位置に、中央部接続機構３０のかしめ部３１の上側工具４１を移動させる。その後、中段ベース８を上方へ移動させて下側工具５１が上記パッドＰを貫通するように上昇させる。このとき、上記下側工具５１の外筒部材５３のスリット部５３ｂ内に、上記パッドＰのワイヤＷが位置付けられる（図１０（Ａ）参照）。このように、上側工具４１を接続位置まで移動させた後、下側工具５１を上昇させることにより、上記上側工具４１が移動する際に下側工具５１と干渉するのを確実に防止できる。
【００６７】
上述の状態で、該上側工具４１を下方へ移動させて、下側工具５１との間で線状部材Ｒを上記パッドＰのワイヤＷ及び上記トリムカバーＣの中央取付部Ｔ１にかしめる。具体的には、図１０に示すように、上記パッドＰを貫通した下側工具５１の先端部分に略Ｕ字状の線状部材Ｒを装着した状態で、上記上側工具４１を下方へ移動させて該上側工具４１の中央部４１ｃに当接する下側工具５１の外筒部材５３のみを下方へ押し下げる。これにより、該下側工具５１の外筒部材５３内に配置された芯部材５４と、上記上側工具４１との間隔が徐々に小さくなって、両者の間に上記線状部材Ｒが挟まれた状態となり、上記上側工具４１の中央部４１ｃに形成された半円溝４１ｄ，４１ｄ及び上記下側工具５１の芯部材５４の保持部５４ｃによって上記線状部材Ｒがリング状に成形される。したがって、上記パッドＰのワイヤＷ及びトリムカバーＣの中央取付部Ｔ１を、上記線状部材Ｒによって確実且つ容易にかしめ固定することができる。なお、上記図１０は、線状部材Ｒによってかしめる動作を簡略的に示したものであり、ワイヤＷのみを線状部材Ｒによってかしめている状態を模式的に示している。
【００６８】
また、上述のように、上側工具４１によって下側工具５１の外筒部材５３のみを押し下げる場合には、該外筒部材５３に設けられたスリット５３ｂによって、パッドＰのワイヤＷが該外筒部材５３に干渉するのを防止することができる。すなわち、上記スリット５３ｂ内に上記ワイヤＷが位置付けられるため、上述のように、上記外筒部材５３のみが下方へ移動した場合には、芯部材５４がその先端の保持部５４ｃで上記ワイヤＷを保持した状態で外筒部材５３内をスムーズに相対移動することができる。したがって、上記パッドＰのワイヤＷとトリムカバーＣの中央取付部Ｔ１とを、線状部材Ｒによって、より強固にかしめ固定することができる。
【００６９】
上述のように、上記パッドＰの中央部分と上記トリムカバーＣの中央取付部Ｔ１とを接続した後、上記上側工具４１を装置前方側へ退避させ、図１１に示すように、上記トリムカバーセッティング機構２の回動フレーム２７を、上記トリムカバーＣがパッドＰの略全面を覆うように回動させる。そして、上記トリムカバーＣの両端部が折り返されて幅方向外方側の側方取付部Ｔ２が露出した状態で、該取付部Ｔ２と上記パッドＰの側方取付位置のワイヤＷとを側方部接続機構６０の各ガン部６２によって順に接続する。
【００７０】
以上により、トリムカバー固定装置１を用いて、上記パッドＰ上にトリムカバーＣを複数箇所で接続することができる。
【００７１】
ここで、上記パッドＰを最上段ベース７上の所定位置に配置する工程がパッド配置工程に、該パッドＰ上にトリムカバーＣを配置する工程がトリムカバー配置工程に、該トリムカバーＣの裏面の中央部分に設けられた中央取付部Ｔ１をパッドＰに接続する工程が中央部取付工程に、該トリムカバーＣの幅方向外方側の側方取付部Ｔ２をパッドＰに接続する工程が両端部取付工程に、それぞれ対応している。
【００７２】
−実施形態の効果−
以上より、この実施形態に係るトリムカバー固定装置１によれば、トリムカバーセッティング機構２の把持部２１，２１，…によってトリムカバーＣを把持した状態で、該トリムカバーＣの裏面の中央部及び幅方向外方側にそれぞれ設けられた取付部Ｔ１，Ｔ２を、パッドＰ上の各取付位置に位置付けることができ、その状態で、中央部接続機構３０や側方部接続機構６０によって線状部材Ｒを用いて上記取付部Ｔ１，Ｔ２とパッドＰのワイヤＷとをかしめ固定することができるため、作業者による手作業ではなく、装置によって自動的にパッドＰ上にトリムカバーＴを取り付けることができる。
【００７３】
しかも、上記トリムカバーＣをトリムカバーセッティング機構２にセッティングする際に、該トリムカバーＣの幅方向外方に位置する側方取付部Ｔ２が露出するように該トリムカバーＣの幅方向両端部を折り曲げた状態でセッティングできるような構成にすることで、上記トリムカバーＣの中央取付部Ｔ１をパッドＰに取り付けた後、上記トリムカバーセッティング機構２の回動フレーム２７を回動させるだけで、上記トリムカバーＣの側方取付部Ｔ２を上記パッドＰ上の所定の取付位置（側方取付位置）に位置付けて、そのまま接続作業を行うことができる。したがって、簡単な構成によって、トリムカバーＣの中央部及びその幅方向外方側とパッドＰとの取付作業を行うことが可能になる。
【００７４】
また、上記トリムカバーＴの中央取付部Ｔ１とパッドＰのワイヤＷとを接続する中央部接続機構３０のかしめ部３１を、上側工具４１と下側工具５１とによって構成して、これらの工具４１，５１を、上記中央取付部Ｔ１及びワイヤＷを上下方向から挟み込んで線状部材Ｒによってかしめるようにすることで、接続作業の行いにくい中央部分でも容易に且つ確実に接続することができる。
【００７５】
さらに、上記下側工具５１は、外筒部材５３のみが上側工具４１とともに下方へ移動するように構成されていて、上記上側工具４１と上記外筒部材５３の内方に位置し且つ固定された芯部材５３との間で、Ｕ字状の線状部材Ｒを上記ワイヤＷや中央取付部Ｔ１とともに徐々に挟み込むようにしたため、該線状部材Ｒを保持しつつ、線状部材Ｒによって上記ワイヤＷや中央取付部Ｔ１をより強固に結束することができる。
【００７６】
また、上記上側工具４１及び下側工具５１を３組、並べて設けることにより、トリムカバーＴの中央取付部Ｔ１をパッドＰに対して同時に３箇所で取り付けることができ、生産性の向上を図れる。
【００７７】
《その他の実施形態》
本発明の構成は、上記実施形態に限定されるものではなく、それ以外の種々の構成を包含するものである。すなわち、上記実施形態では、中央接続機構３０として上下工具４１，５１からなる構成を用いて、側方部接続機構６０として従来のホグリングガンを改造したものを用いているが、この限りではなく、中央接続機構３０にホグリングガンを改造したものを用いたり、側方部接続機構６０に上下工具４１，５１からなる構成を用いたりしてもよい。また、これらの構成以外にも、パッドＰのワイヤＷとトリムカバーＴの取付部Ｔ１，Ｔ２とをリング状に成形される線状部材Ｗによってかしめることができる構成であれば、どのような構成であってもよい。
【産業上の利用可能性】
【００７８】
本発明は、例えば車両のシートを構成するパッドにトリムカバーを取り付け固定するためのトリムカバー固定装置に有用である。
【図面の簡単な説明】
【００７９】
【図１】本発明の実施形態に係るトリムカバー固定装置の概略構成を示す正面図である。
【図２】トリムカバーセッティング機構の概略構成を示す側面図である。
【図３】中央接続機構の概略構成を示す正面図である。
【図４】中段ベース上の下側工具及び位置決めピンの位置関係を示す上面図である。
【図５】かしめ部を構成する上側工具及び下側工具の概略構成を示す正面図である。
【図６】図５における、（Ａ）矢視Ａ、（Ｂ）矢視Ｂを示す図である。
【図７】上側工具が下側工具の外筒部材を下方へ押している状態を示す正面図である。
【図８】パッド上にトリムカバーを配置した状態を模式的に示す斜視図である。
【図９】トリムカバーの中央取付部をパッドに接続する様子を模式的に示す斜視図である。
【図１０】パッドのワイヤに対して線状部材をかしめる際の、（Ａ）上側工具と下側工具との当接前、（Ｂ）上側工具と下側工具との当接後の様子をそれぞれ示す模式図である。
【図１１】パッドの略全面にトリムカバーを配置し、該トリムカバーの側方取付部をパッドに取り付ける様子を模式的に示す斜視図である。
【符号の説明】
【００８０】
１      トリムカバー固定装置
２      トリムカバーセッティング機構（把持手段）
３      トリムカバー接続機構（取付手段）
７      最上段ベース（定盤）
２１    把持部
２５    回動部機構
２６    支持フレーム
２６ａ  押さえ部
２７    回動フレーム
３０    中央部接続機構（第１取付手段）
３１    かしめ部
４１    上側工具（第２工具）
４２    位置決めピン（パッド位置決め手段）
５１    下側工具（パッド位置決め手段、第１工具）
５３    外筒部材（外筒）
５３ｂ  スリット部（スリット）
５４    芯部材
５４ｃ  保持部
６０    側方部接続機構（第２取付手段）
Ｐ      パッド
Ｗ      ワイヤ（取付ワイヤ）
Ｃ      トリムカバー
Ｔ１    中央取付部
Ｔ２    側方取付部
Ｒ      線状部材（係止部材）
【図１】
2010063625.tif 000003
【図２】
2010063625.tif 000004
【図３】
2010063625.tif 000005
【図４】
2010063625.tif 000006
【図５】
2010063625.tif 000007
【図６】
2010063625.tif 000008
【図７】
2010063625.tif 000009
【図８】
2010063625.tif 000010
【図９】
2010063625.tif 000011
【図１０】
2010063625.tif 000012
【図１１】
2010063625.tif 000013